(57)【要約】【課題】検査コストを低減でき、かつ、測定精度の低下を防止できる６価クロム濃度の測定装置および測定方法を提供する。【解決手段】６価クロム濃度の測定装置５０は、ネジ２の種類を特定するための特定情報を取得する情報取得部２１と、取得された特定情報に基づいてネジ２の必要数量を決定する情報決定部２２と、ネジ２および蒸留水９を収容する試験槽１と、試験槽１内の蒸留水９に対して測定光を照射する光源７と、試験槽１内の蒸留水９を透過する透過光から吸光度を測定する光度計８と、光度計８により測定された吸光度から、蒸留水９中の６価クロム濃度を算出する濃度演算部２４とを備えている。【選択図】図１
2008008722.tif 000002
【特許請求の範囲】
【請求項１】
抽出液に浸漬された少なくとも１つの測定対象物から溶出する６価クロムの濃度を測定する測定装置であって、
前記測定対象物の種類を特定するための特定情報を取得する情報取得部と、
前記取得された特定情報に基づいて、前記測定対象物の必要数量を決定する情報決定部と、
前記測定対象物および抽出液を収容する試験槽と、
前記試験槽内の抽出液に対して測定光を照射する光源と、
前記試験槽内の抽出液を透過する透過光から吸光度を測定する光度測定部と、
前記光度測定部により測定された吸光度から、前記抽出液中の６価クロム濃度を算出する濃度演算部と、
を備えた６価クロム濃度の測定装置。
【請求項２】
複数の前記特定情報に対応するとともに少なくとも前記測定対象物の表面積を含む複数の対象物情報を参照情報として格納する参照情報格納部をさらに備え、
前記情報決定部は、前記情報取得部により取得された特定情報に対応する前記対象物情報を参照情報から選択する対象物情報選択部と、前記選択された対象物情報に含まれる表面積から前記測定対象物の必要数量を算出する数量演算部と、を有している、
請求項１に記載の６価クロム濃度の測定装置。
【請求項３】
前記情報決定部は、前記選択された対象物情報に含まれる表面積および前記数量演算部により算出された必要数量に基づいて、前記試験槽に供給する抽出液量を決定する液量演算部をさらに備えた、
請求項２に記載の６価クロム濃度の測定装置。
【請求項４】
前記情報決定部により決定された前記測定対象物の必要数量および抽出液量の少なくともいずれか１つを表示する表示部をさらに備えた、
請求項３に記載の６価クロム濃度の測定装置。
【請求項５】
前記取得された特定情報に基づいて、前記濃度演算部により算出された６価クロム濃度の算出値を補正する補正部をさらに備えた、
請求項１から４に記載の６価クロム濃度の測定装置。
【請求項６】
抽出液に浸漬された少なくとも１つの測定対象物から溶出する６価クロムの濃度を測定する測定装置であって、
前記測定対象物の種類を特定するための特定情報を取得する情報取得部と、
前記測定対象物および抽出液を収容する試験槽と、
前記試験槽内の抽出液に対して測定光を照射する光源と、
前記試験槽内の抽出液を透過する透過光から吸光度を測定する光度測定部と、
前記光度測定部により測定された吸光度から、前記抽出液中の６価クロム濃度を算出する濃度演算部と、
前記取得された特定情報に基づいて、前記濃度演算部により算出された６価クロム濃度の算出値を補正する補正部と、
を備えた６価クロム濃度の測定装置。
【請求項７】
前記参照情報格納部には、前記複数の特定情報に対応する前記６価クロム濃度の算出値の補正情報が参照情報として格納されており、
前記補正部は、前記情報取得部により取得された特定情報に対応する前記補正情報を参照情報から選択する補正情報選択部と、前記選択された補正情報に基づいて前記６価クロム濃度の算出値を補正する補正演算部と、を有している、
請求項５または６に記載の６価クロム濃度の測定装置。
【請求項８】
前記試験槽に収容された前記測定対象物を、磁気的吸引力を利用して取り出す排出部をさらに備えた、
請求項１から７のいずれかに記載の６価クロム濃度の測定装置。
【請求項９】
抽出液に浸漬された少なくとも１つの測定対象物から溶出する６価クロムの濃度を測定する測定装置であって、
前記測定対象物および抽出液を収容する試験槽と、
前記試験槽内の抽出液に対して測定光を照射する光源と、
前記試験槽内の抽出液を透過する透過光から吸光度を測定する光度測定部と、
前記光度測定部により測定された吸光度から、前記測定対象物から溶出した６価クロム濃度を算出する演算部と、
前記試験槽に収容された前記測定対象物を、磁気的吸引力を利用して取り出す排出部と、
を備えた６価クロム濃度の測定装置。
【請求項１０】
前記排出部は、前記試験槽に対して相対移動可能に配置された磁力発生部を有している、
請求項８または９に記載の６価クロム濃度の測定装置。
【請求項１１】
前記光度測定部により測定された吸光度の経時的変化に基づいて、前記抽出液中の６価クロム濃度が飽和しているか否かを判定する飽和判定部をさらに備え、
前記濃度演算部は、前記飽和判定部から飽和状態であるという判定結果を得た後に、前記吸光度に基づいて前記測定対象物から溶出した６価クロム濃度を算出する、
請求項１から１０のいずれかに記載の６価クロム濃度の測定装置。
【請求項１２】
抽出液に浸漬された少なくとも１つの測定対象物から溶出する６価クロムの濃度を測定する測定装置であって、
前記測定対象物および抽出液を収容する試験槽と、
前記試験槽内の抽出液に対して測定光を照射する光源と、
前記試験槽内の抽出液を透過する透過光から吸光度を測定する光度測定部と、
前記光度測定部により測定された吸光度の経時的変化に基づいて、前記測定対象物から溶出する６価クロムの濃度が飽和しているか否かを判定する飽和判定部と、
前記飽和判定部から飽和状態であるという判定結果を得た後に、前記吸光度に基づいて前記測定対象物から溶出した６価クロム濃度を算出する濃度演算部と、
を備えた６価クロム濃度の測定装置。
【請求項１３】
試験槽内の抽出液に浸漬された少なくとも１つの測定対象物から溶出する６価クロムの濃度を測定する測定装置を用いた測定方法であって、
前記測定対象物の種類を特定するための特定情報が取得される情報取得工程と、
前記取得された特定情報に基づいて、前記測定対象物の必要数量が決定される情報決定工程と、
前記試験槽内の抽出液に対して測定光を照射する照射工程と、
前記試験槽内の抽出液を透過する透過光から吸光度を測定する光度測定工程と、
前記光度測定工程により測定された吸光度から、前記抽出液中の６価クロム濃度を算出する濃度演算工程と、
を含む６価クロム濃度の測定方法。
【請求項１４】
前記測定装置は、複数の前記特定情報に対応するとともに少なくとも前記測定対象物の表面積を含む複数の対象物情報を参照情報として格納する参照情報格納部をさらに備え、
前記情報決定工程は、前記情報取得工程により取得された特定情報に対応する前記対象物情報を参照情報から選択する対象物情報選択工程と、前記選択された対象物情報に含まれる表面積から前記測定対象物の必要数量を算出する数量演算工程と、を有している、
請求項１３に記載の６価クロム濃度の測定方法。
【請求項１５】
前記情報決定工程は、前記選択された対象物情報に含まれる表面積および前記数量演算工程により算出された必要数量に基づいて、前記試験槽に供給する抽出液量を決定する液量演算工程をさらに含む、
請求項１４に記載の６価クロム濃度の測定方法。
【請求項１６】
前記情報決定工程により決定された前記測定対象物の必要数量および抽出液量の少なくともいずれか１つを表示する表示工程をさらに含む、
請求項１５に記載の６価クロム濃度の測定方法。
【請求項１７】
前記取得された特定情報に基づいて、前記濃度演算工程により算出された６価クロム濃度の算出値を補正する補正工程をさらに含む、
請求項１３から１６に記載の６価クロム濃度の測定方法。
【請求項１８】
試験槽内の抽出液に浸漬された少なくとも１つの測定対象物から溶出する６価クロムの濃度を測定する測定装置を用いた測定方法であって、
前記測定対象物の種類を特定するための特定情報を取得する情報取得工程と、
前記試験槽内の抽出液に対して測定光を照射する照射工程と、
前記試験槽内の抽出液を透過する透過光から吸光度を測定する光度測定工程と、
前記光度測定工程により測定された吸光度から、前記抽出液中の６価クロム濃度を算出する濃度演算工程と、
前記取得された特定情報に基づいて、前記濃度演算工程により算出された６価クロム濃度の算出値を補正する補正工程と、
を含む６価クロム濃度の測定方法。
【請求項１９】
前記参照情報格納部には、前記複数の特定情報に対応する前記６価クロム濃度の算出値の補正情報が参照情報として格納されており、
前記補正工程は、前記情報取得工程により取得された特定情報に対応する前記補正情報を参照情報から選択する補正情報選択工程と、前記選択された補正情報に基づいて前記６価クロム濃度の算出値を補正する補正演算工程と、を含む、
請求項１７または１８に記載の６価クロム濃度の測定方法。
【請求項２０】
前記試験槽に収容された前記測定対象物を、磁気的吸引力を利用して取り出す排出工程をさらに含む、
請求項１３から１９のいずれかに記載の６価クロム濃度の測定方法。
【請求項２１】
試験槽内の抽出液に浸漬された少なくとも１つの測定対象物から溶出する６価クロムの濃度を測定する測定装置を用いた測定方法であって、
前記試験槽内の抽出液に対して測定光を照射する照射工程と、
前記試験槽内の抽出液を透過する透過光から吸光度を測定する光度測定工程と、
前記光度測定工程により測定された吸光度から、前記測定対象物から溶出した６価クロム濃度を算出する演算工程と、
前記試験槽に収容された前記測定対象物を、磁気的吸引力を利用して取り出す排出工程と、
を備えた６価クロム濃度の測定方法。
【請求項２２】
前記排出部は、前記試験槽に対して相対移動可能に配置された磁力発生部を有している、
請求項２０または２１に記載の６価クロム濃度の測定方法。
【請求項２３】
前記測定装置は、前記光度測定工程により測定された吸光度の経時的変化に基づいて、前記抽出液中の６価クロム濃度が飽和しているか否かを判定する飽和判定部をさらに備え、
前記濃度演算工程は、前記飽和判定部から飽和状態であるという判定結果を得た後に、前記吸光度に基づいて前記測定対象物から溶出した６価クロム濃度を算出する、
請求項１３から２２のいずれかに記載の６価クロム濃度の測定方法。
【請求項２４】
試験槽内の抽出液に浸漬された少なくとも１つの測定対象物から溶出する６価クロムの濃度を測定する測定装置を用いた測定方法であって、
前記試験槽内の抽出液に対して測定光を照射する照射工程と、
前記試験槽内の抽出液を透過する透過光から吸光度を測定する光度測定工程と、
前記光度測定工程により測定された吸光度の経時的変化に基づいて、前記測定対象物から溶出する６価クロムの濃度が飽和しているか否かを判定する飽和判定工程と、
前記飽和判定部から飽和状態であるという判定結果を得た後に、前記吸光度に基づいて前記測定対象物から溶出した６価クロム濃度を算出する濃度演算工程と、
を備えた６価クロム濃度の測定方法。
【請求項２５】
前記照射工程の前に、６価クロム濃度に応じて変色する試薬が封入された水溶性カプセルが前記試験槽内に投入されるカプセル投入工程をさらに含む、
請求項１３から２４に記載の６価クロム濃度の測定方法。
【発明の詳細な説明】
【技術分野】
【０００１】
本発明は、６価クロム濃度の測定装置および測定方法、特に、酸化クロメート処理されたネジなどの測定対象物から６価クロムを抽出して６価クロム濃度を測定する測定装置および測定方法に関するものである。
【背景技術】
【０００２】
ヨーロッパでは、ＲｏＨＳ指令（ｏｎ  ｔｈｅ  Ｒｅｓｔｒｉｃｔｉｏｎ  ｏｆ  ｔｈｅ  ｕｓｅ  ｏｆ  ｃｅｒｔａｉｎ  Ｈａｚａｒｄｏｕｓ  Ｓｕｂｓｔａｎｃｅｓ：電気・電子機器に含まれる特定有害物質の使用制限指令）の適用により、酸化クロメートなどの皮膜処理されたネジなどから溶出する６価クロム（Ｃｒ6+）の最大許容濃度が１０００ｐｐｍ未満に制限されつつある。従って、ヨーロッパに電気・電子機器を輸出する場合、６価クロムの濃度が許容値以下であることを確認する必要がある。
そこで、例えば、前処理により６価クロムを抽出し、ジフェニルカルバジド吸光光度法を用いて６価クロム濃度を測定する方法が提案されている（例えば、特許文献１および図９のフロー図を参照。）。具体的には、前処理として、高温の蒸留水がネジなどの測定対象物が収容された試験槽に供給され、測定対象物からできるだけ多くの６価クロムが抽出される。そして、ジフェニルカルバジド吸光光度法を用いて、抽出液中の６価クロム濃度が定量分析される。ジフェニルカルバジド吸光光度法では、６価クロムが抽出された抽出液にジフェニルカルバジド（１,５−ジフェニルカルボノヒドラジド）が試薬として加えられる。この結果、６価クロムとジフェニルカルバジドとが反応し、赤紫色の錯体が生成され、抽出液が発色する。この抽出液の波長５４０ｎｍ付近の吸光度を光度計により測定することにより、６価クロムの濃度が定量分析される。
【特許文献１】特開２００４−３２５３２１号公報
【発明の開示】
【発明が解決しようとする課題】
【０００３】
しかし、従来の測定方法では、測定作業の大半は作業者により行われている。具体的には、ジフェニルカルバジド吸光光度法では測定対象物の総表面積は１０ｃｍ2以上確保する必要があるが、その一方で測定対象物の数量が多すぎると、試験槽の容量とのバランスがとれない。このため、ネジの種類に応じて測定に適した数量を求める必要があり、作業者が適宜これを行っている。また、ジフェニルカルバジド吸光光度法では測定対象物の総表面積に対する抽出液量も決まっているため、作業者が適切な抽出液量を求め、抽出液量に基づいて試験槽に抽出液が供給される。
また、従来の測定方法では、前処理作業と吸光度の測定作業とは、一連の作業となっていない。このため、例えば作業者が抽出液からネジを取り出したり、抽出液を光度計にセットしたりする必要がある。
さらに、上記のような吸光光度法では、抽出液を光度計に２回セットする必要がある。具体的には、光度計の零点調整をするために、前処理にて６価クロムを抽出した段階で、前処理後の抽出液の一部が光度計にセットされ、吸光度が測定される。そして、零点調整後、残りの抽出液に試薬が投入される。試薬と６価クロムとの反応が完了したと思われた段階で、変色した抽出液が光度計にセットされ、６価クロム濃度が定量分析される。この２回のセット作業は、測定対象物の種類ごとに行う必要がある。
【０００４】
このように、従来の測定方法では、測定作業の大半は作業者により行われている。このため、例えば民生用家電製品などのようにネジの種類が多い場合は、測定するために多大な時間や労力を費やすこととなり、検査にかかるコストが増大するとともに、作業者のミスにより測定精度が低下するおそれがある。
また、従来の測定方法では、一定時間経過すれば試薬と６価クロムとの反応は完結していると判断され、抽出液の吸光度が測定されている。このため、放置時間が短く反応が完結していない場合は、６価クロム濃度の測定精度が低下する。一方、放置時間が長い場合は、測定精度の低下は防止できるが、検査に要する時間が長くなり、前述の場合と同様に検査にかかるコストが増大するとともに、測定精度が低下するおそれがある。
また、従来の測定方法では、６価クロムの溶出を促進するために、高温の抽出液が試験槽に供給される。このとき、測定対象物の総重量が大きいと、抽出液から多くの熱エネルギーを奪うため、抽出液の温度が低下してしまう。この結果、６価クロムの溶出が促進されず、６価クロムの濃度を正確に測定することができない。また、総表面積１０ｃｍ2以上確保するために測定対象物の数量を決定すると、単体の寸法が大きい測定対象物は寸法が小さい測定対象物よりも、測定対象物の総重量が増加してしまう。すなわち、測定対象物の寸法が大きいほど、６価クロムの濃度の測定値の誤差が大きくなるおそれがある。
【０００５】
このように、従来の６価クロム濃度の測定装置および測定方法では、検査コストの低減および測定精度の低下の防止が望まれている。
本発明の課題は、検査コストを低減でき、かつ、測定精度の低下を防止できる６価クロム濃度の測定装置を提供することにある。
本発明の別の課題は、検査コストを低減でき、かつ、測定精度の低下を防止できる６価クロム濃度の測定方法を提供することにある。
【課題を解決するための手段】
【０００６】
第１の発明に係る６価クロム濃度の測定装置は、抽出液に浸漬された少なくとも１つの測定対象物から溶出する６価クロムの濃度を測定する測定装置であって、測定対象物の種類を特定するための特定情報を取得する情報取得部と、取得された特定情報に基づいて測定対象物の必要数量を決定する情報決定部と、測定対象物および抽出液を収容する試験槽と、試験槽内の抽出液に対して測定光を照射する光源と、試験槽内の抽出液を透過する透過光から吸光度を測定する光度測定部と、光度測定部により測定された吸光度から、抽出液中の６価クロム濃度を算出する濃度演算部と、を備えている。
この測定装置では、光源により試験槽内の抽出液に測定光が照射され、光度測定部により吸光度が測定される。そして、測定された吸光度から抽出液中の６価クロム濃度が濃度演算部により算出される。
このとき、例えば測定対象物の表面積を１０ｃｍ2以上確保する必要があるが、その一方で測定対象物の数量が多すぎると、試験槽の容量とのバランスがとれない。
ここでは、情報取得部により測定対象物の種類を特定するための特定情報が取得され、情報決定部によりこの特定情報に基づいて測定対象物の必要数量が決定される。このため、試験槽の容量とのバランスを保ちつつ、必要となる表面積が確実に確保できる測定対象物の数量を、測定対象物の種類に応じて容易にかつ迅速に決定することができる。この結果、測定対象物の種類が多い場合であっても、測定対象物の種類に応じた必要数量を容易かつ迅速に求めることができ、測定時間の短縮および労力の軽減を図ることができる。すなわち、この測定装置では、検査コストの低減および測定精度の低下の防止を図ることができる。
【０００７】
ここで、測定対象物としては、例えば、酸化クロメート処理が施されたネジ、ボルトおよびナットなどが挙げられ、測定対象物の種類としては、例えば、ＪＩＳなどの規格により定められた呼び径（Ｍ４、Ｍ６など）、長さ、頭部の形状のタイプおよび材質などが挙げられる。また、抽出液としては、例えば蒸留水などが挙げられる。
第２の発明に係る６価クロム濃度の測定装置は、第１の発明に係る測定装置において、複数の特定情報に対応するとともに少なくとも測定対象物の表面積を含む複数の対象物情報を参照情報として格納する参照情報格納部をさらに備えている。情報決定部は、情報取得部により取得された特定情報に対応する対象物情報を参照情報から選択する対象物情報選択部と、選択された対象物情報に含まれる表面積から測定対象物の必要数量を算出する数量演算部と、を有している。
ここでは、参照情報格納部に予め格納された参照情報から対象物情報を選択することで、測定対象物の種類に応じた必要数量を容易にかつ迅速に求めることができる。
第３の発明に係る６価クロム濃度の測定装置は、第２の発明に係る測定装置において、情報決定部が、選択された対象物情報に含まれる表面積および数量演算部により算出された必要数量に基づいて、試験槽に供給する抽出液量を決定する液量演算部をさらに備えている。
【０００８】
ここでは、表面積および必要数量に基づいて、測定対象物の種類および数量に適した抽出液の量を容易にかつ迅速に求めることができる。
第４の発明に係る６価クロム濃度の測定装置は、第３の発明に係る測定装置において、情報決定部により決定された測定対象物の必要数量および抽出液量の少なくともいずれか１つを表示する表示部をさらに備えている。
この場合、測定対象物の必要数量、あるいは抽出液量を作業者が確認できる。これにより、必要数量や抽出液量を作業者が容易に把握することができ、作業時間を短縮できる。
第５の発明に係る６価クロム濃度の測定装置は、第１から第４の発明のいずれかに係る測定装置において、取得された特定情報に基づいて濃度演算部により算出された６価クロム濃度の算出値を補正する補正部をさらに備えている。
この測定装置では、測定対象物の種類に応じて６価クロム濃度の算出量が補正部により補正される。このため、測定対象物により抽出液の温度が低下しても６価クロム濃度を正確に測定することができ、測定精度の向上を図ることができる。
第６の発明に係る６価クロム濃度の測定装置は、抽出液に浸漬された少なくとも１つの測定対象物から溶出する６価クロムの濃度を測定する測定装置であって、測定対象物の種類を特定するための特定情報を取得する情報取得部と、測定対象物および抽出液を収容する試験槽と、試験槽内の抽出液に対して測定光を照射する光源と、試験槽内の抽出液を透過する透過光から吸光度を測定する光度測定部と、光度測定部により測定された吸光度から、抽出液中の６価クロム濃度を算出する濃度演算部と、取得された特定情報に基づいて、濃度演算部により算出された６価クロム濃度の算出値を補正する補正部と、を備えている。
【０００９】
この測定装置では、測定対象物の種類に応じて６価クロム濃度の算出量が補正部により補正される。このため、測定対象物により抽出液の温度が低下しても６価クロム濃度を正確に測定することができ、測定精度の向上を図ることができる。
第７の発明に係る６価クロム濃度の測定装置は、第５または第６の発明に係る測定装置において、参照情報格納部には、複数の特定情報に対応する６価クロム濃度の算出値の補正情報が参照情報として格納されている。補正部は、情報取得部により取得された特定情報に対応する補正情報を参照情報から選択する補正情報選択部と、選択された補正情報に基づいて６価クロム濃度の算出値を補正する補正演算部と、を有している。
この測定装置では、参照情報から補正情報を選択することができ、６価クロム濃度の算出値に対して測定対象物の種類に適した補正を行うことができる。
第８の発明に係る６価クロム濃度の測定装置は、第１から第７の発明のいずれかに係る測定装置において、試験槽に収容された測定対象物を磁気的吸引力を利用して取り出す排出部をさらに備えている。
ここでは、自動的に試験槽から測定対象物を取り出すことができ、作業時間を短縮できるとともに作業者の労力を軽減できる。
【００１０】
第９の発明に係る６価クロム濃度の測定装置は、抽出液に浸漬された少なくとも１つの測定対象物から溶出する６価クロムの濃度を測定する測定装置であって、測定対象物および抽出液を収容する試験槽と、試験槽内の抽出液に対して測定光を照射する光源と、試験槽内の抽出液を透過する透過光から吸光度を測定する光度測定部と、光度測定部により測定された吸光度から、測定対象物から溶出した６価クロム濃度を算出する演算部と、試験槽に収容された測定対象物を、磁気的吸引力を利用して取り出す排出部と、を備えている。
ここでは、自動的に試験槽から測定対象物を取り出すことができ、作業時間を短縮できるとともに作業者の労力を軽減できる。
第１０の発明に係る６価クロム濃度の測定装置は、第８または第９の発明に係る測定装置において、排出部が、試験槽に対して相対移動可能に配置された磁力発生部を有している。
この場合、簡素な構造により測定対象物の自動取り出しを実現できる。
第１１の発明に係る６価クロム濃度の測定装置は、第１から第１０の発明のいずれかに係る測定装置において、光度測定部により測定された吸光度の経時的変化に基づいて、抽出液中の６価クロム濃度が飽和しているか否かを判定する飽和判定部をさらに備えている。濃度演算部は、飽和判定部から飽和状態であるという判定結果を得た後に、吸光度に基づいて測定対象物から溶出した６価クロム濃度を算出する。
【００１１】
ここでは、６価クロム濃度が飽和しているか否か、すなわち６価クロムと試薬との反応が飽和しているか否かを判定することができる。これに容易にかつ迅速に最適な測定時期を把握することができ、測定時間を短縮できる。
第１２の発明に係る６価クロム濃度の測定装置は、抽出液に浸漬された少なくとも１つの測定対象物から溶出する６価クロムの濃度を測定する測定装置であって、測定対象物および抽出液を収容する試験槽と、試験槽内の抽出液に対して測定光を照射する光源と、試験槽内の抽出液を透過する透過光から吸光度を測定する光度測定部と、光度測定部により測定された吸光度の経時的変化に基づいて、測定対象物から溶出する６価クロムの濃度が飽和しているか否かを判定する飽和判定部と、飽和判定部から飽和状態であるという判定結果を得た後に、吸光度に基づいて測定対象物から溶出した６価クロム濃度を算出する濃度演算部と、を備えている。
ここでは、６価クロム濃度が飽和しているか否か、すなわち６価クロムと試薬との反応が飽和しているか否かを判定することができる。これに容易にかつ迅速に最適な測定時期を把握することができ、測定時間を短縮できる。
第１３の発明に係る６価クロム濃度の測定方法は、試験槽内の抽出液に浸漬された少なくとも１つの測定対象物から溶出する６価クロムの濃度を測定する測定装置を用いた測定方法であって、測定対象物の種類を特定するための特定情報が取得される情報取得工程と、取得された特定情報に基づいて、測定対象物の必要数量が決定される情報決定工程と、試験槽内の抽出液に対して測定光を照射する照射工程と、試験槽内の抽出液を透過する透過光から吸光度を測定する光度測定工程と、光度測定工程により測定された吸光度から、抽出液中の６価クロム濃度を算出する濃度演算工程と、を含んでいる。
【００１２】
この測定方法では、照射工程において試験槽内の抽出液に測定光が照射され、光度測定工程において吸光度が測定される。そして、濃度演算工程において吸光度から抽出液中の６価クロム濃度が算出される。
このとき、例えば測定対象物の表面積を１０ｃｍ2以上確保する必要があるが、一方で測定対象物の数量が多すぎると、試験槽の容量とのバランスがとれない。
ここでは、情報取得工程において測定対象物の種類を特定するための特定情報が取得され、情報決定部によりこの特定情報に基づいて測定対象物の必要数量が決定される。このため、試験槽の容量とのバランスを保ちつつ、必要となる表面積が確実に確保できる測定対象物の数量を、測定対象物の種類に応じて容易にかつ迅速に決定することができる。これにより、この測定方法では、測定対象物の種類が多い場合であっても、測定対象物の種類に応じた必要数量を容易かつ迅速に求めることができ、測定時間の短縮および労力の軽減を図ることができる。すなわち、この測定方法では、検査コストの低減および測定精度の低下の防止を図ることができる。
ここで、測定対象物としては、例えば、酸化クロメート処理が施されたネジ、ボルトおよびナットなどが挙げられ、測定対象物の種類としては、例えば、ＪＩＳなどの規格により定められた呼び径（Ｍ４、Ｍ６など）、長さ、頭部の形状のタイプおよび材質などが挙げられる。また、抽出液としては、例えば、蒸留水などが挙げられる。
【００１３】
第１４の発明に係る６価クロム濃度の測定方法は、第１３の発明に係る測定方法において、測定装置が、複数の特定情報に対応するとともに少なくとも測定対象物の表面積を含む複数の対象物情報を参照情報として格納する参照情報格納部をさらに備えている。情報決定工程は、情報取得工程により取得された特定情報に対応する対象物情報を参照情報から選択する対象物情報選択工程と、選択された対象物情報に含まれる表面積から測定対象物の必要数量を算出する数量演算工程と、を有している。
ここでは、対象物情報選択工程において参照情報格納部に予め格納された参照情報から対象物情報を選択することで、測定対象物の種類に応じた必要数量を容易にかつ迅速に求めることができる。
第１５の発明に係る６価クロム濃度の測定方法は、第１４の発明に係る測定方法において、情報決定工程が、選択された対象物情報に含まれる表面積および数量演算工程により算出された必要数量に基づいて、試験槽に供給する抽出液量を決定する液量演算工程をさらに含んでいる。
ここでは、表面積および必要数量に基づいて、測定対象物の種類および数量に適した抽出液の量を容易にかつ迅速に求めることができる。
【００１４】
第１６の発明に係る６価クロム濃度の測定方法は、第１５の発明に係る測定方法において、情報決定工程により決定された測定対象物の必要数量および抽出液量の少なくともいずれか１つを表示する表示工程をさらに含んでいる。
この場合、測定対象物の必要数量、あるいは抽出液量を作業者が確認できる。これにより、必要数量や抽出液量を作業者が容易に把握することができ、作業時間を短縮できる。
第１７の発明に係る６価クロム濃度の測定方法は、第１３から第１６の発明のいずれかに係る測定方法において、取得された特定情報に基づいて、濃度演算工程により算出された６価クロム濃度の算出値を補正する補正工程をさらに含んでいる。
この測定方法では、補正工程において測定対象物の種類に応じて６価クロム濃度の算出量が補正される。このため、測定対象物により抽出液の温度が低下しても６価クロムの溶出値を正確に測定することができる。
第１８の発明に係る６価クロム濃度の測定方法は、試験槽内の抽出液に浸漬された少なくとも１つの測定対象物から溶出する６価クロムの濃度を測定する測定装置を用いた測定方法であって、測定対象物の種類を特定するための特定情報を取得する情報取得工程と、試験槽内の抽出液に対して測定光を照射する照射工程と、試験槽内の抽出液を透過する透過光から吸光度を測定する光度測定工程と、光度測定工程により測定された吸光度から、抽出液中の６価クロム濃度を算出する濃度演算工程と、取得された特定情報に基づいて、濃度演算工程により算出された６価クロム濃度の算出値を補正する補正工程と、を含んでいる。
【００１５】
この測定方法では、補正工程において測定対象物の種類に応じて６価クロム濃度の算出量が補正される。このため、測定対象物により抽出液の温度が低下しても６価クロムの溶出値を正確に測定することができる。
第１９の発明に係る６価クロム濃度の測定方法は、第１７または第１８の発明に係る測定方法において、参照情報格納部には、複数の特定情報に対応する６価クロム濃度の算出値の補正情報が参照情報として格納されている。補正工程は、情報取得工程により取得された特定情報に対応する補正情報を参照情報から選択する補正情報選択工程と、選択された補正情報に基づいて６価クロム濃度の算出値を補正する補正演算工程と、を含んでいる。
この測定方法では、参照情報から補正情報を選択することができ、濃度の算出値に対して測定対象物の種類に適した補正を行うことができる。
第２０の発明に係る６価クロム濃度の測定方法は、第１３から第１９の発明のいずれかに係る測定方法において、試験槽に収容された測定対象物を、磁気的吸引力を利用して取り出す排出工程をさらに含んでいる。
ここでは、自動的に試験槽から測定対象物を取り出すことができ、作業時間を短縮できるとともに作業者の労力を軽減できる。
【００１６】
第２１の発明に係る６価クロム濃度の測定方法は、試験槽内の抽出液に浸漬された少なくとも１つの測定対象物から溶出する６価クロムの濃度を測定する測定装置を用いた測定方法であって、試験槽内の抽出液に対して測定光を照射する照射工程と、試験槽内の抽出液を透過する透過光から吸光度を測定する光度測定工程と、光度測定工程により測定された吸光度から、測定対象物から溶出した６価クロム濃度を算出する演算工程と、試験槽に収容された測定対象物を、磁気的吸引力を利用して取り出す排出工程と、を備えている。
ここでは、自動的に試験槽から測定対象物を取り出すことができ、作業時間を短縮できるとともに作業者の労力を軽減できる。
第２２の発明に係る６価クロム濃度の測定方法は、第２０または２１の発明に係る測定方法において、排出部が、試験槽に対して相対移動可能に配置された磁力発生部を有している。
第２３の発明に係る６価クロム濃度の測定方法は、第１３から第２２の発明のいずれかに係る測定方法において、測定装置が光度測定工程により測定された吸光度の経時的変化に基づいて、抽出液中の６価クロム濃度が飽和しているか否かを判定する飽和判定部をさらに備えている。濃度演算工程は、飽和判定部から飽和状態であるという判定結果を得た後に、吸光度に基づいて測定対象物から溶出した６価クロム濃度を算出する。
【００１７】
ここでは、６価クロム濃度が飽和しているか否か、すなわち６価クロムと試薬との反応が飽和しているか否かを判定することができる。これに容易にかつ迅速に最適な測定時期を把握することができ、測定時間を短縮できる。
第２４の発明に係る６価クロム濃度の測定方法は、試験槽内の抽出液に浸漬された少なくとも１つの測定対象物から溶出する６価クロムの濃度を測定する測定装置を用いた測定方法であって、試験槽内の抽出液に対して測定光を照射する照射工程と、試験槽内の抽出液を透過する透過光から吸光度を測定する光度測定工程と、光度測定工程により測定された吸光度の経時的変化に基づいて、測定対象物から溶出する６価クロムの濃度が飽和しているか否かを判定する飽和判定工程と、飽和判定部から飽和状態であるという判定結果を得た後に、吸光度に基づいて測定対象物から溶出した６価クロム濃度を算出する濃度演算工程と、を備えている。
ここでは、６価クロム濃度が飽和しているか否か、すなわち６価クロムと試薬との反応が飽和しているか否かを判定することができる。これに容易にかつ迅速に最適な測定時期を把握することができ、測定時間を短縮できる。
第２５の発明に係る６価クロム濃度の測定方法は、第１３から第２４の発明のいずれかに係る測定方法において、照射工程の前に、６価クロム濃度に応じて変色する試薬が封入された水溶性カプセルが試験槽内に投入されるカプセル投入工程をさらに含んでいる。
【００１８】
この場合、試薬が封入されたカプセルが投入されるため、光度計の零点調整と吸光度の測定とを一連の作業として行うことができる。これにより、測定時間を短縮できる。また、これにより、試薬の取り扱いが容易となるとともに、試薬の量がカプセルの数量で調節できるため、試薬の量の調節が容易となる。
【発明の効果】
【００１９】
本発明の６価クロム濃度の測定装置および測定方法によれば、上記の構成を有しているため、測定時間の短縮を図ることができる。
【発明を実施するための最良の形態】
【００２０】
以下、図面を参照しながら、本発明の実施形態について説明する。
〔第１実施形態〕
（１）測定装置の構成
図１および図２を用いて、本発明の第１実施形態に係る６価クロム濃度の測定装置について説明する。図１に本発明の第１実施形態に係る６価クロム濃度の測定装置５０の概略構成図、図２に排出装置の概略構成図を示す。
図１および図２に示すように、測定装置５０は主に、測定対象物としてのネジ２および抽出液としての蒸留水９を収容する試験槽１と、試験槽１を加熱して蒸留水の温度の低下を防止する加熱撹拌装置４と、蒸留水を加熱するとともに試験槽１へ供給する蒸留水加熱供給装置５と、試験槽１内の蒸留水に振動を与える超音波振動装置６と、試験槽１内の蒸留水９に測定光を照射する光源７と、蒸留水９からの透過光から吸光度を測定する光度測定部としての光度計８と、磁気的吸引力を用いてネジ２を取り出す排出装置１１と、各部の動作を制御する制御装置２０と、制御装置２０にデータを入力する入力装置３０と、入力装置３０から入力されたデータや制御装置２０から出力されたデータを表示する表示部としての表示装置４０とから構成されている。加熱撹拌装置４、蒸留水加熱供給装置５、超音波振動装置６、光源７、光度計８、入力装置３０および表示装置４０は制御装置２０に接続されている。
【００２１】
図１に示すように、試験槽１は、試験管のような縦長の容器であり、光源７からの測定光が透過するように、例えばガラスなどの透明な材料から構成されている。ネジ２は、例えば鉄系の材料からなり、表面に酸化クロメート処理が施されている。蒸留水９は、蒸留水加熱供給装置５に貯留されている。蒸留水加熱供給装置５には、蒸留水加熱用のヒータ（図示せず）および蒸留水の供給をコントロールする電磁弁あるいは手動弁が設けられている。光源７および光度計８は、試験槽１を挟んで対向する位置に配置されている。
加熱撹拌装置４は、試験槽１の下部を収容および支持しており、試験槽１を加熱するヒータを有している。加熱撹拌装置４のヒータにより、蒸留水９の保温あるいは煮沸が可能となっている。また、ヒータの他に、加熱撹拌装置４には試験槽１内に投入された金属製の撹拌子３を非接触で回転させる撹拌子駆動装置が内蔵されている。撹拌子３は、６価クロム濃度の測定に影響を及ぼさない材質で構成されている。撹拌子３を回転させることで、試薬が蒸留水９に短時間で溶けやすくなるとともに、蒸留水９に溶出した６価クロムと試薬との反応が促進される。なお、撹拌子３は、後述する排出装置１１によりネジ２とともに取り出され、洗浄装置（図示せず）により洗浄されるが、ネジ２とともに取り出さずに、６価クロム濃度の測定中も撹拌を継続していてもよい。この場合、試薬と６価クロムとの反応が促進さ、測定時間を短縮できる。
【００２２】
超音波振動装置６は、棒状の振動子６ａを有しており、例えば振動子６ａは２０〔ｋＨｚ〕の周波数で振動可能となっている。従来の測定装置では、蒸留水にネジを浸漬して６価クロムを抽出する際に、ネジの表面から染み出した６価クロムによって、ネジの表面近傍の蒸留水が６価クロムで飽和状態になると考えられる。このため、ネジの表面から効率良く６価クロムを抽出することができない。
しかし、この測定装置５０では、超音波振動装置６の振動子６ａを試験槽１内の蒸留水９に接触させると、蒸留水９およびネジ２に振動が伝わる。この結果、絶えず飽和していない蒸留水９とネジ２が接触するため、ネジ２からの６価クロムの溶出が促進される。また、蒸留水９に溶出した６価クロムを均一に拡散させることが可能となる。なお、超音波振動装置６は、他の測定対象物の測定に影響を与えないように、洗浄装置（図示せず）により使用後必ず洗浄される。
図２に示すように、排出装置１１は主に、試験槽１の側方に配置された１対の第１電磁石１２と、試験槽１の上方に配置された第２電磁石１３と、第１電磁石１２および第２電磁石１３を移動可能に支持する電磁石移動装置（図示せず）とから構成されている。第１電磁石１２は試験槽１に対して上下方向に相対移動可能に配置されており、第２電磁石１３は試験槽１に対して左右方向に相対移動可能に配置されている。電磁石移動装置は、第１電磁石１２を上下方向に、第２電磁石１３を左右方向に移動可能に支持している。第１電磁石１２および第２電磁石１３が通電されると、第１電磁石１２および第２電磁石１３から電磁力が発生し、後述のようにネジ２を吸引できる。
【００２３】
制御装置２０、入力装置３０および表示装置４０は、例えばＣＰＵ、ＲＡＭ、ＲＯＭ、キーボードおよびモニタを備えたＰＣ（Ｐｅｒｓｏｎａｌ  Ｃｏｍｐｕｔｅｒ）から構成されている。ここでは、入力装置３０がキーボード、表示装置４０がモニタに対応している。制御装置２０のＲＯＭには、各部の動作を制御するためのプログラムが格納されており、このプログラムがＣＰＵに読み込まれることで、所望の機能が実現される。
ここで、図３を用いて制御装置２０の構成について説明する。図３に制御装置２０の概略構成図を示す。
図３に示すように、制御装置２０は主に、入力装置３０から入力された特定情報を取得する情報取得部２１と、情報取得部２１により取得された特定情報に基づいて対象物に関する他の情報を決定する情報決定部２２と、光度計８により測定された吸光度から６価クロム濃度を算出する濃度演算部２４と、特定情報に基づいて濃度演算部からの算出値を補正する補正部２５と、光度計８により測定された吸光度の経時的変化に基づいて蒸留水９中の６価クロム濃度が飽和しているか否かを判定する飽和判定部２６と、複数の特定情報に対応する複数の対象物情報を参照情報として格納する参照情報格納部２７と、各装置の駆動を制御する駆動制御部２３とから構成されている。
【００２４】
情報決定部２２は、情報取得部２１により取得された特定情報に対応する対象物情報を参照情報から選択する対象物情報選択部２２ａと、選択された対象物情報に含まれる表面積から測定対象物の必要数量を算出する数量演算部２２ｂと、選択された対象物情報に含まれる表面積および数量演算部２２ｂにより算出された必要数量に基づいて、試験槽に供給する蒸留水９の量を決定する液量演算部２２ｃとから構成されている。
補正部２５は、情報取得部２１により取得された特定情報に対応する補正情報を参照情報から選択する補正情報選択部２５ａと、選択された補正情報に基づいて６価クロム濃度の算出値を補正する補正演算部２５ｂとから構成されている。
ここで、図４を用いて参照情報格納部２７に格納される参照情報の構成について説明する。図４に参照情報の概略構成図の一例を示す。
図４に示すように、参照情報は、複数の特定情報と、それに対応する対象物情報および補正情報とから構成されている。特定情報は、測定対象物の種類を特定するための情報であり、例えば、ネジの場合であれば、製造メーカ、ＪＩＳなどの規格により定められた呼び径（Ｍ４、Ｍ６など）、長さ（Ｌ＝２０〔ｍｍ〕など）、頭部の形状（皿、なべなど）、等級（精密ねじなど）から構成されている。対象物情報は、特定情報に対応する測定対象物の表面積および重量から構成されている。表面積および重量は、測定対象物単体の表面積および重量（ねじ部および頭部の合計重量）を意味している。補正情報は、６価クロム濃度の算出値に乗じて補正値を求めるための補正係数から構成されている。この補正係数は、例えば実験データから求められた数値であり、特定情報ごとに予め算出されたものである。
【００２５】
（２）測定方法
図５および図６を用いて、測定装置５０を用いた６価クロム濃度の測定方法について説明する。図５に本発明の第１実施形態に係る測定方法のフロー図の一例、図６に排出装置の動作説明図を示す。
図５に示すように、まず作業者がネジの種類を特定するために、ネジの呼び径、長さ、頭部の形状および材質を入力装置３０により入力する（Ｓ１）。ここでは、例えば、呼び径：「Ｍ４」、長さ：「１６〔ｍｍ〕」、頭部の形状：「皿」、等級：「精密ねじ」が入力されたものとする。入力装置３０に入力された特定情報は、情報取得部２１へ送られ、情報取得部２１により特定情報が取得・格納される（情報取得工程：Ｓ２）。次に、対象物情報選択部２２ａにより、取得された特定情報に対応する対象物情報が参照情報から選択される（対象物情報選択工程：Ｓ３）。この場合、図４の参照情報より、入力された特定情報は特定情報〈４〉に該当するため、工程Ｓ３では対象物情報〈４〉が選択される。そして、選択された対象物情報〈４〉に含まれる表面積からネジの必要数量が算出される（数量演算工程：Ｓ４）。より具体的には、表面積の合計が１０ｃｍ2以上確保できる最小の必要数量が算出される。一方で、選択された対象物情報〈４〉に含まれる表面積および工程Ｓ４で算出された必要数量に基づいて、試験槽１に供給する蒸留水９の量が算出される（液量演算工程：Ｓ５）。工程Ｓ４およびＳ５において算出された必要数量および蒸留水９の量が表示装置４０に表示される（表示工程：Ｓ６）。これにより、作業者はネジに関する特定情報を入力するだけで、必要本数や蒸留水９の量を容易にかつ迅速に把握することができる。
【００２６】
次に、作業者により必要本数分のネジ２が試験槽１にセットされ、蒸留水加熱供給装置５から加熱された蒸留水９が試験槽１に供給される（Ｓ７、Ｓ８）。そして、超音波振動装置６により試験槽１内の蒸留水９に振動が与えられる（Ｓ９）。これにより、ネジ２にも振動が伝わり、ネジ２からの６価クロムの溶出が促進される。そして、加熱撹拌装置４により撹拌子３が回転し、蒸留水９が撹拌される（Ｓ１０）。これにより、６価クロムの溶出が促進されるとともに試験槽１内の６価クロム濃度がほぼ均一となる。
そして、排出装置１１により試験槽１からネジ２が取り出される（排出工程：Ｓ１１）。具体的には、図６に示すように、排出装置１１の第１電磁石１２が通電され、発生する電磁力によりネジ２が第１電磁石１２に吸引される（図６（ａ））。試験槽１に沿って第１電磁石１２が上方向へ移動すると、ネジ２も試験槽１の壁面に沿って上方向へ移動する（図６（ｂ））。試験槽１の上方には第２電磁石１３が待機しており、ネジ２が試験槽１の入り口付近まで移動すると、第２電磁石１３が通電され、第１電磁石１２の通電が停止される。この結果、ネジ２は第２電磁石１３に直接吸引される（図６（ｃ））。そして、第２電磁石１３が対象物回収装置１５まで移動し、第２電磁石１３の通電が停止されると、ネジ２は対象物回収装置１５内に落下し回収される（図２）。このように、磁気的吸引力を利用してネジ２を吸引することで、ネジ２を回収する手間が省けるとともに、自動的に試験槽１からネジ２を取り出すことができる。
【００２７】
次に、試験槽１内に水溶性カプセル１７が作業者により投入される（カプセル投入工程：Ｓ１２）。なお、水溶性カプセル１７の投入は、上記のように作業者により行われてもよいし、カプセル投入装置（図示せず）により蒸留水９の量に応じた数量が投入されてもよい。水溶性カプセル１７が溶ける前に、光度計８の零点調整が行われる（Ｓ１３）。具体的には、光源７から測定光が照射され、光度計８により吸光度が測定される。このとき、水溶性カプセル１７のカプセル部分は溶けきっていないため、蒸留水９に試薬が溶けていない状態である。このため、この状態で測定された吸光度が光度計８の零点に設定され、零点調整が行われる。なお、光度計８の零点調整に要する時間はほぼ一定であり予め予測し得るものである。このため、光度計８の零点調整の終了後に水溶性カプセル１７内の試薬が溶け始めるように、水溶性カプセル１７のカプセル部分の厚みは設定されている。
光度計８の零点調整が終了すると、光度計８により測定される吸光度の経時的変化の監視が開始される（飽和判定工程：Ｓ１４）。具体的には、光度計８により連続的あるいは断続的に吸光度が測定される。このとき、水溶性カプセル１７内の試薬が蒸留水９に溶け始める（Ｓ１５）。蒸留水９に試薬が溶け始めると、蒸留水９に溶出した６価クロムと試薬とが反応し、徐々に蒸留水９が変色する。それに伴って、測定される吸光度は徐々に高くなる。試薬と６価クロムとの反応が飽和状態に達すると、吸光度は一定となる。この吸光度の変化は飽和判定部２６により監視されており、吸光度が所定の時間だけ一定になると、飽和判定部２６から飽和状態であるという判定結果が出力される（飽和判定工程：Ｓ１６）。そして、光度計８により吸光度が測定され、濃度演算部２４により６価クロム濃度が算出される（濃度算出工程：Ｓ１７）。
【００２８】
この６価クロム濃度の算出値に対して、補正部２５により補正がなされる（補正工程：Ｓ１８）。ここで、６価クロム濃度の算出値に対して補正を施す必要性およびその詳細について説明する。
蒸留水９は、６価クロムの溶出を促進するために、供給される前は蒸留水加熱供給装置５により加熱されており、また試験槽１に供給された後は加熱撹拌装置４により加熱されている。このため、蒸留水９の温度変化は小さい。
しかしながら、ネジ２の重量が大きい場合、常温であるネジ２により加熱された蒸留水９から多くの熱エネルギーが奪われる。このため、蒸留水９の温度が低下し、６価クロムの溶出が促進されずに、６価クロムの濃度を正確に測定することができない。蒸留水９の温度低下が著しい場合、加熱撹拌装置４により試験槽１が加熱されても、蒸留水９の温度低下は避けられない。
そこで、本発明に係る測定方法では、補正部２５の補正情報選択部２５ａにより複数の測定対象物から特定情報に対応する補正情報が選択される（補正情報選択工程）。本実施形態では、例えば特定情報〈４〉に対応する補正情報〈４〉が選択される。ここで、この補正情報に含まれる補正係数は、例えば、実験などにより求められた関係であって、測定対象物の総重量と６価クロム濃度の算出値との関係に基づいて決定された数値である。選択された補正情報〈４〉の補正係数が補正演算部２５ｂにより６価クロム濃度の算出値に乗じられ、６価クロム濃度の補正値が求められる（補正演算工程）。最終的に、この補正値が６価クロム濃度の測定値となり、表示装置４０に表示され（Ｓ１９）、ネジ２に対する６価クロム濃度の測定が終了する。
【００２９】
（３）作用効果
この測定装置５０および測定方法により得られる作用効果を以下にまとめる。
１）情報決定部（情報決定工程）により得られる作用効果
この測定装置５０では、入力装置３０を介して作業者によりネジ２の特定情報が入力されると、情報取得部２１によりネジ２の種類を特定するための特定情報が取得され、情報決定部２２によりこの特定情報に基づいて測定対象物の必要数量が決定される。このため、試験槽１の容量とのバランスを保ちつつ、必要となる表面積が確実に確保できるネジ２の数量を、ネジ２の種類に応じて容易にかつ迅速に決定することができる。これにより、この測定装置５０では、測定対象物の種類が多い場合であっても、測定対象物の種類に応じた必要数量を容易かつ迅速に求めることができ、測定時間の短縮を図ることができる。
２）補正部（補正工程）により得られる作用効果
この測定装置５０では、測定対象物の種類に応じて６価クロム濃度の算出量が補正部２５により補正される。具体的には、情報取得部２１により取得された特定情報に基づいて、補正情報選択部２５ａによりこの特定情報に対応する補正情報が参照情報から選択される。このため、ネジ２により蒸留水９の温度が低下しても、６価クロムの溶出値を正確に測定することができる。
【００３０】
３）排出装置（排出工程）により得られる作用効果
この測定装置５０では、試験槽１に収容されたネジ２を第１電磁石１２および第２電磁石１３の磁気的吸引力を利用して取り出すことができる。これにより、測定対象部の取り出す作業の労力および時間を削減することができるとともに、測定対象物の取り出し作業の自動化を容易に実現することができる。
４）飽和判定部（飽和判定工程）により得られる作用効果
この測定装置５０では、光度計８により測定される吸光度の経時的変化を飽和判定部２６により監視することで、６価クロムと試薬との反応が飽和しているか否かを判定することができる。これに容易にかつ迅速に最適な測定時期を把握することができ、測定時間の短縮および測定精度の向上を図ることができる。
５）水溶性カプセル（水溶性カプセル投入工程）により得られる作用効果
この測定装置５０では、カプセルに試薬が予め封入された水溶性カプセル１７を用いているため、試薬の取り扱いが容易となる。また、試薬の量は水溶性カプセル１７の数量で調節できるため、試薬の量の調節が容易となる。
６）超音波振動装置（超音波振動工程）により得られる作用効果
この測定装置５０では、超音波振動装置６により蒸留水９に振動が与えられる。このため、測定対象物からの６価クロムの溶出が促進されるとともに、蒸留水９に溶出した６価クロムを均一に拡散させることが可能となる。これにより、より正確な６価クロム濃度の測定値が得られる。
【００３１】
７）撹拌子（撹拌工程）により得られる作用効果
この測定装置５０では、加熱撹拌装置４により撹拌子３が回転駆動されるため、蒸留水９に溶出した６価クロムが蒸留水９全体に広がり、６価クロムの濃度がほぼ均一となる。これにより、より正確な６価クロム濃度の測定値が得られる。
以上に述べたように、本発明に係る測定装置５０および測定方法では、測定時間を短縮できるとともに測定作業の労力を軽減できるため、検査コストの低減および測定精度の向上を図ることができる。
〔他の実施形態〕
本発明の具体的な構成は、前述の実施形態に限られるものではなく、発明の要旨を逸脱しない範囲で種々の変更および修正が可能である。
例えば、前述の実施形態では、ネジを測定対象物としているが、これに限定されず、酸化クロメート処理された金属製の部品であれば、他の部品（例えばボルト、ナットなど）であってもよい。
また、前述の実施形態では、参照情報が図４に示すようなデータ構造を有しているが、これに限定されない。前述の実施形態と同様の作用効果が得られるものであれば、参照情報のデータ構造が他の構成であってもよい。例えば、前述の実施形態では、補正係数は特定情報ごとに予め算出されているが、例えば、図７に示すように、単位重量当たりの表面積を基準値として、その基準値に対応する数種類の補正係数を予め参照情報格納部１２７に格納しておき、測定対象物の表面積および重量から算出された単位重量当たりの表面積に対応する補正係数を参照情報から選択する方式を採用してもよい。
【００３２】
また、前述の実施形態では、ネジ２を取り出した後に水溶性カプセル１７を試験槽１に投入しているが、これに限定されない。例えば、ネジ２を試験槽１にセットする際に水溶性カプセル１７が同時に投入されてもよい。この場合、水溶性カプセル１７を途中で投入する工程が省略されるため、測定時間をより短縮することができる。なお、この場合は、試薬が溶け始めるタイミングを考慮して、前述の実施形態よりも水溶性カプセル１７のカプセル部分を厚くしておく必要がある。
また、前述の実施形態では、光度計８により測定された吸光度が飽和判定部２６により監視されているが、濃度演算部２４による算出値を監視することで飽和状態の判定が行われてもよい。
さらに、試験に使用した液体には、６価クロムが含まれるため、化学的処理により無害化する必要がある。従って、試験が終了した後、試験槽１に残っている液体を自動的に使用済み蒸留水回収容器（図示せず）に回収する機構を有していてもよい。また、一度試験に使用した試験槽１を新しい試験槽に取り替える機構、さらには図８に示すように、新しい試験槽１をストックする未使用の試験槽収納容器１８および試験に使用した試験槽を回収しストックする試験槽回収容器１９を設けることで、連続的に試験を実施することを可能としてもよい。
なお、前述の各数値は一例であり、これに限定されるものではない。
【産業上の利用可能性】
【００３３】
本発明に係る６価クロム濃度の測定装置および測定方法は、前述のように測定時間を短縮することができるため、ヨーロッパに輸出される製品に使用されるネジなどの部品の検査を実施するのに有効である。
【図面の簡単な説明】
【００３４】
【図１】本発明の第１実施形態に係る測定装置の概略構成図の一例。
【図２】排出装置の概略構成図の一例。
【図３】制御装置の概略構成図の一例。
【図４】参照情報の概略構成図の一例。
【図５】本発明の第１実施形態に係る測定方法のフロー図の一例。
【図６】排出装置の動作説明図。
【図７】他の実施形態に係る参照情報の概略構成図の一例。
【図８】他の実施形態に係る測定装置。
【図９】従来の測定方法のフロー図。
【符号の説明】
【００３５】
１  試験槽
２  ネジ（測定対象物）
３  撹拌子
４  加熱撹拌装置
５  蒸留水加熱供給装置
６  超音波振動装置
７  光源
８  光度計（光度測定部）
９  蒸留水（抽出液）
１１  排出装置
１２  第１電磁石（磁力発生部）
１３  第２電磁石（磁力発生部）
２０  制御装置
２１  情報取得部
２２  情報決定部
２２ａ  対象物情報選択部
２２ｂ  量演算部
２２ｃ  液量演算部
２３  駆動制御部
２４  濃度演算部
２５  補正部
２５ａ  補正情報選択部
２５ｂ  補正演算部
２６  飽和判定部
２７  参照情報格納部
３０  入力装置
４０  表示装置（表示部）
５０  測定装置
【図１】
2008008722.tif 000003
【図２】
2008008722.tif 000004
【図３】
2008008722.tif 000005
【図４】
2008008722.tif 000006
【図５】
2008008722.tif 000007
【図６】
2008008722.tif 000008
【図７】
2008008722.tif 000009
【図８】
2008008722.tif 000010
【図９】
2008008722.tif 000011